(57)【要約】【課題】着用したワイシャツの下部が透かして外部より見えることがなく、また蒸し暑くなるという不具合もないズボンを提供すること。ライナーによってワイシャツの透かしを防ぎながら、同時にライナーの生地を極力減らすことができるズボンを提供すること。【解決手段】ズボン身頃２と、このズボン身頃２内に装着されたメッシュからなるライナー４とを有するズボンである。ライナー４は、ズボン身頃２の内側における腰帯部１０からズボン身頃２の股下近傍にまで亘って、ズボン身頃２の内側に設けられた前ポケット６の生地部６ａを除いてほぼ全域に配設され、ズボン身頃２の内側に設けられた後ろポケット８の後ろ側生地８ａがライナーにより形成されている。【選択図】図１
2008075232.tif 000002
【特許請求の範囲】
【請求項１】
ズボン身頃と、このズボン身頃の内側に装着されたメッシュからなるライナーとを有し、
該ライナーは、ズボン身頃の内側における腰帯部から該ズボン身頃の股下近傍にまで亘って、該ズボン身頃の内側に設けられた前ポケットの生地部を除いてほぼ全域に配設され、
ズボン身頃の内側に設けられた後ろポケットの後ろ側生地が該ライナーにより形成されているズボン。
【請求項２】
前記ズボン身頃は、前身頃および後ろ身頃を有し、該前身頃は、左側前身頃および右側前身頃を有し、該後ろ身頃は左側後ろ身頃および右側後ろ身頃を有し、
前記ライナーは、左側後ろ身頃の内側に配設される左側ライナーおよび右側後ろ身頃の内側に配設される右側ライナーを有し、
右側ライナーの上端部はズボンの腰帯部にて逢着され、右側ライナーの一側部は、右側前身頃と右側後ろ身頃との逢着部にて逢着され、右側ライナーの他側部は、右側後ろ身頃と左側後ろ身頃との逢着部にて逢着され、
左側ライナーの上端部はズボンの腰帯部にて逢着され、左側ライナーの一側部は、左側前身頃と左側後ろ身頃との逢着部にて逢着され、左側ライナーの他側部は、右側後ろ身頃と左側後ろ身頃との逢着部にて逢着されている請求項１に記載のズボン。
【請求項３】
前記前ポケットはメッシュにて形成され、該前ポケットのメッシュおよびライナーによって、ズボン身頃の股上の内面がほぼ覆われている請求項１に記載のズボン。
【請求項４】
ズボン身頃と、このズボン身頃の内側に装着されたメッシュからなるライナーとを有し、
該ライナーは、ズボン身頃の内側における腰帯部から該ズボン身頃の股下近傍にまで亘って、該ズボン身頃の内側に設けられた前ポケットの生地部を除いてほぼ全域に配設され、
ズボン身頃の内側に設けられた後ろポケットの後ろ側生地の内側に、該ライナーが配設されているズボン。
【発明の詳細な説明】
【技術分野】
【０００１】
本発明はズボンに係り、詳しくは、ワイシャツの下部が外部から透けて見えることのない夏用ズボンに関する。
【背景技術】
【０００２】
通常、夏用ズボンの後ろ身頃には裏地が取付けられていないので、ワイシャツを着用した際に、ワイシャツの下部がズボンを通して外部から見えるという欠点がある。
【０００３】
そのワイシャツの下部が外部より透かして見えることを防止するために、ズボンの後側に裏地を取付けた場合には、着用者が蒸し暑く感じる。
【発明の開示】
【発明が解決しようとする課題】
【０００４】
本発明は、上記の実情に着目してなされたものであって、着用したワイシャツの下部が外部より透かして見えることがなく、また着用者が蒸し暑く感じることもないズボンを提供することにある。
【０００５】
本発明の他の目的は、ライナーによってワイシャツの透かしを防ぎながら、ライナーの生地を極力減らすことができるズボンを提供することにある。
【課題を解決するための手段】
【０００６】
本発明の一実施形態のズボンは、ズボン身頃と、このズボン身頃の内側に装着されたメッシュからなるライナーとを有し、該ライナーは、ズボン身頃の内側における腰帯部から該ズボン身頃の股下近傍にまで亘って、該ズボン身頃の内側に設けられた前ポケットの生地部を除いてほぼ全域に配設され、ズボン身頃の内側に設けられた後ろポケットの後ろ側生地が該ライナーにより形成されており、そのことにより上記目的が達成される。
【０００７】
一つの実施形態では、前記ズボン身頃は、前身頃および後ろ身頃を有し、該前身頃は、左側前身頃および右側前身頃を有し、該後ろ身頃は左側後ろ身頃および右側後ろ身頃を有し、前記ライナーは、左側後ろ身頃の内側に配設される左側ライナーおよび右側後ろ身頃の内側に配設される右側ライナーを有し、右側ライナーの上端部はズボンの腰帯部にて逢着され、右側ライナーの一側部は、右側前身頃と右側後ろ身頃との逢着部にて逢着され、右側ライナーの他側部は、右側後ろ身頃と左側後ろ身頃との逢着部にて逢着され、左側ライナーの上端部はズボンの腰帯部にて逢着され、左側ライナーの一側部は、左側前身頃と左側後ろ身頃との逢着部にて逢着され、左側ライナーの他側部は、右側後ろ身頃と左側後ろ身頃との逢着部にて逢着されている。
【０００８】
一つの実施形態では、前記前ポケットはメッシュにて形成され、該前ポケットのメッシュおよびライナーによって、ズボン身頃の股上の内面がほぼ覆われている。
【０００９】
本発明の他の実施形態のズボンは、ズボン身頃と、このズボン身頃の内側に装着されたメッシュからなるライナーとを有し、該ライナーは、ズボン身頃の内側における腰帯部から該ズボン身頃の股下近傍にまで亘って、該ズボン身頃の内側に設けられた前ポケットの生地部を除いてほぼ全域に配設され、ズボン身頃の内側に設けられた後ろポケットの後ろ側生地の内側に、該ライナーが配設されており、そのことにより上記目的が達成される。
【発明の効果】
【００１０】
ズボン身頃と、このズボン身頃の内側に装着されたメッシュからなるライナーとを有し、該ライナーは、ズボン身頃の内側における腰帯部から該ズボン身頃の股下近傍にまで亘って、該ズボン身頃の内側に設けられた前ポケットの生地部を除いてほぼ全域に配設され、ズボン身頃の内側に設けられた後ろポケットの後ろ側生地が該ライナーにより形成されていることにより、着用したワイシャツの下部がこのライナーによって外側から覆われるため、外部から透けて見えることがない。またライナーは通気性の良いメッシュにて形成されているので、着用者が蒸し暑く感じることもない。さらに後ろポケットの後ろ側生地をそのライナーにて形成したので、ライナーの一部と後ろポケットの生地とを兼用でき、ライナーの生地を減らすことができる。
【発明を実施するための最良の形態】
【００１１】
本発明の実施形態を図面に基づいて説明する。
【００１２】
図１〜図６に示すように、本発明のズボンは、ズボン身頃２と、このズボン身頃２の後ろ側の内面に装着されたメッシュからなるライナー４とを有する。
【００１３】
該メッシュとしては、黒色または黒色系（例えば、褐色）のものが良い。メッシュは通気性のよい織布、織物などで構成することができる。
【００１４】
該ライナー４は、ズボン身頃２の内側における腰帯部１０から該ズボン身頃２の股下近傍にまで亘って、該ズボン身頃２の内側に設けられた前ポケット６の生地部６ａを除いてほぼ全域に配設されている。
【００１５】
そして、ズボン身頃２の内側に設けられた後ろポケット８の後ろ側生地が該ライナー４により形成されている。後ろポケット８の前側生地と後ろ側生地は、それぞれ同じメッシュよりなる材質にて形成されている。この生地は上記ライナー４を形成するメッシュと同じ生地にて形成することができる。
【００１６】
さらに具体的に説明する。
【００１７】
該ズボン身頃２は、前身頃１１および後ろ身頃２１を有する。
【００１８】
図５に示すように、該前身頃１１は、左側前身頃１２および右側前身頃１３を有し、該後ろ身頃２１は左側後ろ身頃２２および右側後ろ身頃２３を有する。
【００１９】
前記ライナー４は、左側後ろ身頃２２の内面に配設される左側ライナー４１および右側後ろ身頃２３の内面に配設される右側ライナー４２を有する。
【００２０】
ズボンの上端部には腰帯部１０が全周にわたって設けられている。
【００２１】
右側ライナー４２の上端部はズボンの該腰帯部１０にて逢着され、右側ライナー４２の一側部は、右側前身頃１３と右側後ろ身頃２３との逢着部２５に逢着され、右側ライナー４２の一端部は、右側後ろ身頃２３と左側後ろ身頃２２との逢着部２６に逢着されている。
【００２２】
左側ライナー４１の上端部はズボンの該腰帯部１０にて逢着され、左側ライナー４１の一側部は、左側前身頃１２と左側後ろ身頃２２との逢着部２７に逢着され、左側ライナー４１の一側部は、右側後ろ身頃２３と左側後ろ身頃２２との逢着部２６に逢着されている。
【００２３】
このようにして、左右の前ポケット６の生地部６ａを除いて、ズボン身頃２の内側の腰帯部１０から股下近傍までのほぼ全域にライナー４が配設されている。つまり、後ろ右側身頃２３および後ろ左側身頃２２の内側にライナー４が配設されている。
【００２４】
また、上記前ポケット６の生地部６ａはメッシュにて形成され、前ポケット６のメッシュおよびライナー４によって、ズボン身頃２の内面はほぼ覆われている。
【００２５】
なお、該ライナー４の上下長さは、着用したワイシャツの下部を隠す程度の長さで良いが、具体的には、ズボン身頃２の内側における腰帯部１０から該ズボン身頃２の股上乃至股上近傍部までが好ましい。図３に示すように、股下の約５〜８ｃｍ程度まで延出してもよい。
【００２６】
なお、逢着部２６は裏地が縫い付けてあり、またファスナー部２０にも裏地が取り付けてある。さらに左右の前身ごろ１２，１３の内側にも裏地が取り付けてある。
【００２７】
このようにして、左右のライナー４１，４２は、股下近傍までポケット８の後ろ側生地を延出してズボンの後部を覆っているので、着用した白地のワイシャツの下部がズボンの生地を透けて外部から見えることがない。
【００２８】
また、このライナー４によってズボンの後部の補強にもなり、またワイシャツの下部がズボンの生地を透けて外部から見えることことを防止できる上に、着用者が汗ばむことがなく、また軽量でもある。
【００２９】
なお、図７〜図１０は他の実施例を示すものである。
【００３０】
上記実施例では、ズボン身頃２の内側に設けられた後ろポケット８の後ろ側生地を下方および横方向へ延出してライナー４を形成したが、図７〜１０に示す実施例では、その後ろポケット８の後ろ側生地を内側から覆うように、ポケット８とは別のメッシュからなるライナー４を配置したものである。
【００３１】
後ろポケット８およびライナー４は、それぞれ通気性に優れ、また軽量であり、さらにやや伸縮性に優れたメッシュにて形成されているので、これらの素材によりズボンの後部を補強できると共に、ワイシャツの下部がズボンの生地を透けて外部から見えることことを防止でき、さらに着用者が汗ばむこともなく、軽量でもある。
【図面の簡単な説明】
【００３２】
【図１】本発明の一実施例のズボンの側面図である。
【図２】本発明の一実施例のズボンの背面図である。
【図３】本発明の一実施例のズボンの裏返した状態における要部背面図である。
【図４】本発明の一実施例のズボンの裏返し広げた状態における要部拡大背面図である。
【図５】本発明の一実施例のズボンの広げた状態における要部拡大正面図である。
【図６】本発明の一実施例のズボンの後ろポケットの概略断面図である。
【図７】本発明の他の実施例のズボンの側面図である。
【図８】本発明の他の実施例のズボンの背面図である。
【図９】本発明の他の実施例のズボンの裏返した状態における要部背面図である。
【図１０】本発明の他の実施例のズボンの後ろポケットの概略断面図である。
【符号の説明】
【００３３】
２    ズボン身頃
４    ライナー
６    前ポケットの生地部
８    後ろポケット
１０  腰帯部
【図１】
2008075232.tif 000003
【図２】
2008075232.tif 000004
【図３】
2008075232.tif 000005
【図４】
2008075232.tif 000006
【図５】
2008075232.tif 000007
【図６】
2008075232.tif 000008
【図７】
2008075232.tif 000009
【図８】
2008075232.tif 000010
【図９】
2008075232.tif 000011
【図１０】
2008075232.tif 000012